(57)【特許請求の範囲】
【請求項１】
構築されるコンクリート構造物の表面に沿って配置される複数枚の型枠パネルと、前記型枠パネルの前面側に設けられ、前記型枠パネルの前面に沿って移動する支保工と、前記支保工の移動装置とを備えた移動式型枠装置において、
前記型枠パネルは、その背面側に前記コンクリート構造物中に埋設されるアンカーが設けられ、前記支保工を移動させる際に、打設されたコンクリートの表面に残置させ、前記コンクリート構造物の表面側に永久的に存置させるものであって、
前記型枠パネルは、端部間にシール材を介装させて隣接配置して、隣接する前記型枠パネル間が連結金具を介して相互に連結され、
前記アンカーは、前記型枠パネルの背面の任意位置に突設固定される第１アンカーと、一端側に雌ねじ内設され、前記型枠パネルの背面周縁に配置される第２アンカーとを有し、
前記連結金具は、前記型枠パネルの前面側に当接される固定部と、この固定部の端部に立設されたフランジ部とを備え、
前記第２アンカーの前面側に、前記型枠パネルを挟んで前記固定部を当接させて、前記雌ねじに仮締めボルトを螺着することにより前記連結金具を着脱可能に固定し、隣接する型枠パネル間で対向配置される前記フランジ部間を締付け用ボルトナットで結合させることを特徴とする移動式型枠装置。
【請求項２】
前記アンカーは、打設コンクリート側に延設される延長ボルト、または、幅広な定着プレートを有することを特徴とする請求項１記載の移動式型枠装置。
【請求項３】
前記アンカーは、前記コンクリート構造物の対向する面に、対向設置される一対の前記型枠パネル間を連結するセパレータとして用いることを特徴とする請求項１記載の移動式型枠装置。
【請求項４】
前記型枠パネルは、厚みが６ｍｍで、曲げ強度が３０Ｎ／ｍｍ２以上で、かつ、１８ｃｍスパンで支持した際に、最大変形が２ｃｍ以上許容できる高靭性セメントボードからなることを特徴とする請求項１から３のいずれか１項記載の移動式型枠装置。
【発明の詳細な説明】
【０００１】
【発明の属する技術分野】
この発明は、移動式型枠装置に関し、特に、この種の装置の型枠パネルに関するものである。
【０００２】
【従来の技術】
トンネル覆工，煙突，橋脚，ダムなどの長大コンクリート構造物を構築する際には、セントル，スリップフォーム，ジャンピングフォーム，スライド型枠などの移動式型枠装置が使用される。
【０００３】
この種の移動式型枠装置は、通常、鋼材で組み込んだ支保工と、この支保工に鋼製型枠板（堰板，面板）を取付けた構造となっており、型枠板の脱型およびその後の移動は、型枠板を分解せずに揚重機などを使用して、支保工，型枠板が全体で一括して行われる。
【０００４】
移動式型枠装置を脱型後、次の打設個所（リフト，ロット）へ移動する際には、自走設備，クレーン，油圧ジャッキなどを使用して、型枠板をコンクリート面から一旦離すか、あるいは、離すことなくスライド移動させる。
【０００５】
このような型枠装置は、新設の構造物を構築する場合のみならず、コンクリート構造物の補修，補強工事にも使われていて、例えば、コンクリートを増し打ちする場合や、劣化，腐食部分をはつり取り、コンクリート，モルタルなどで断面修復する場合などにも採用されている。
【０００６】
ところが、このような従来の移動式型枠装置には、以下に説明する技術的な課題があった。
【０００７】
【発明が解決しようとする課題】
すなわち、コンクリート構造物に求められている十分な強度や耐久性を発現するためには、コンクリートの打設後の初期において乾燥，高温ないしは低温を防ぎ、適切な水分状態と温度を保つ、いわゆる養生を十分に行うことが最も重要であり、養生が十分でない状態で型枠板を脱型すると、強度，耐久性，美観などが劣ったコンクリートになる。
【０００８】
また、十分な強度が出る前に脱型すると、コンクリートがひび割れ，破壊する可能性があり、このような理由から、従来の移動式型枠装置では、型枠板の脱型が早期に行えず、コンクリート工事の工期が長くかかるという問題があった。
【０００９】
本発明は、このような従来の問題点に鑑みてなされたものであって、その目的とするところは、コンクリートの養生を十分に行えるようにすることで、強度や耐久性の要求性能を充足することができる移動式型枠装置を提供することにある。
【００１０】
【課題を解決するための手段】
上記目的を達成するために、本発明は、構築されるコンクリート構造物の表面に沿って配置される複数枚の型枠パネルと、前記型枠パネルの前面側に設けられ、前記型枠パネルの前面に沿って移動する支保工と、前記支保工の移動装置とを備えた移動式型枠装置において、前記型枠パネルは、その背面側に前記コンクリート構造物中に埋設されるアンカーが設けられ、前記支保工を移動させる際に、打設されたコンクリートの表面に残置させ、前記コンクリート構造物の表面側に永久的に存置させるものであって、前記型枠パネルは、端部間にシール材を介装させて隣接配置して、隣接する前記型枠パネル間が連結金具を介して相互に連結され、前記アンカーは、前記型枠パネルの背面の任意位置に突設固定される第１アンカーと、一端側に雌ねじ内設され、前記型枠パネルの周縁に配置される第２アンカーとを有し、前記連結金具は、前記型枠パネルの前面側に当接される固定部と、この固定部の端部に立設されたフランジ部とを備え、前記第２アンカーの前面側に、前記型枠パネルを挟んで前記固定部を当接させて、前記雌ねじに仮締めボルトを螺着することにより前記連結金具を着脱可能に固定し、隣接する型枠パネル間で対向配置される前記フランジ部間を締付け用ボルトナットで結合させるようにした。
【００１１】
このように構成した移動式型枠装置によれば、型枠パネルは、その背面側にコンクリート構造物中に埋設されるアンカーが設けられ、支保工を移動させる際に、打設されたコンクリートの表面に残置させるので、打設されたコンクリートの表面は、残置される型枠パネルで覆われ、この結果、初期硬化中に水分の逸散がなく、表面コンクリートの水和反応が十分に行われるとともに、型枠パネルの断熱効果が高いので、初期硬化中に発生しやすい温度ひび割れを抑制し、さらに、打設コンクリートの乾燥を防ぎ、適度な温度状態に保って、乾燥収縮に伴うひび割れを抑制する。
【００１２】
また、型枠パネルは、コンクリート構造物の表面側に永久的に存置させるので、厳しい環境条件からの劣化を防ぐとともに、コンクリート構造物内への、水分，塩分，二酸化炭素などの有害物質の浸入を防ぎ、しかも、内部コンクリートにひび割れが発生した場合にも、美観を保つことができる。
【００１４】
上記構成によれば、型枠パネルをコンクリートの表面に残置させるために用いる第２アンカーを、型枠パネルの連結用にも利用することができる。
【００１５】
前記アンカーには、打設コンクリート側に延設される延長ボルト、または、幅広な定着プレートを設けることができ、この構成を採用すると、アンカーの引抜き抵抗を増加させることができる。
【００１６】
前記アンカーは、前記コンクリート構造物の対向する面に、対向設置される一対の前記型枠パネル間を連結するセパレータとして用いることができる。
【００１７】
この構成の場合には、例えば、スリップフォーム型枠で、中空な塔状構造物を構築する際に、好適に使用することができる。
【００１８】
前記型枠パネルは、厚みが６ｍｍで、曲げ強度が３０Ｎ／ｍｍ２以上で、かつ、１８ｃｍスパンで支持した際に、最大変形が２ｃｍ以上許容できる高靭性セメントボードで構成することができる。
【００１９】
この構成によれば、セメントボートが高靭性なので、打設コンクリートの側圧が作用しても、荷重が分散されて、ひび割れが発生し難く、軽量なので、組み立てが簡単で、取扱い性に優れ、支保工も特に補強する必要がない。
【００２０】
【発明の実施の形態】
以下、本発明の好適な実施の形態について、添付図面に基づいて詳細に説明する。図１から図６は、本発明にかかる移動式型枠装置の一実施例を示している。同図に示した移動式型枠装置は、高橋脚の構築に適用した場合を例示している。
【００２１】
この実施例に示した高橋脚１０は、図１の下方に設けられる基礎上に立設した複数本の鋼管１２の外周にコンクリートＣを打設して、順次上方側に向けて構築される。
【００２２】
鋼管１２の上部側には、図示省略の鋼材が設置されていて、この鋼材から複数の鋼線１４が垂設されている。移動式型枠装置１６は、この鋼線１４に反力を取って、上方に移動する。
【００２３】
本実施例の移動式型枠装置１６は、構築されるコンクリート構造物の表面に沿って配置される複数枚の型枠パネル１８と、型枠パネル１８の前面側に設けられ、型枠パネル１８の前面に沿って移動する支保工２０と、支保工２０の移動装置２２とを備えている。
【００２４】
支保工２０は、鋼材を枠組したものであって、上端に中段作業床２４が設けられ、この中段作業床２４の上方に、上段作業架台２６が延設されるとともに、支保工２０の下部側には、下段作業架台２８が垂設されている。
【００２５】
移動装置２２は、具体的には、鋼線１４が貫通設置されるセンターホールジャッキから構成されていて、このジャッキは、支保工２０の側部に支持されている。この移動装置２２は、これを駆動すると、尺取虫状に上方移動し、これに伴って、支保工２０が作業架台２６，２８とともに上方に移動する。
【００２６】
型枠パネル１８は、構築しようとする高橋脚１０の断面形状に沿って、閉断面状態に配置され、この型枠パネル１８の前面側には、支保工２０の内面側から突設された脚部３０が当接するようになっていて、この脚部３０は、支保工２０が上昇する際には、型枠パネル１８の前面に摺接しながら上方移動する。
【００２７】
また、支保工２０の下端側内面には、ガイドローラ３２が回転自在に枢着されていて、このガイドローラ３２は、支保工２０が上昇する際には、型枠パネル１８の前面で転動しながら上方移動する。
【００２８】
型枠パネル１８は、ほぼ正方形に形成された平板であって、例えば、曲げ強度が３０Ｎ／ｍｍ２以上で、１８ｃｍスパンで支持した際の、最大変形が２ｃｍ以上許容できる厚みが５〜１５ｍｍ（最大変形が２ｃｍのものは厚みがほぼ６ｍｍである）程度の高靭性セメントボードを用いることができる。
【００２９】
このような高靭性セメントボードは、補強繊維やポリマーを混入したセメントペースト、ないしは、モルタルを使用し、抄造法や押出し成形法により製造することができる。
【００３０】
このような高靭性セメントボードを型枠パネル１８に用いると、セメントボートが高靭性なので、打設コンクリートの側圧が作用しても、荷重が分散されて、ひび割れが発生し難く、軽量なので、組み立てが簡単で、取扱い性に優れ、支保工２０も特に補強する必要がない。
【００３１】
複数枚の型枠パネル１８は、図２にその配置状態の一例を示すように、上下左右方向に隣接配置される。本実施例の型枠パネル１８は、その背面側にコンクリート構造物中に埋設されるアンカー３４が設けられ、支保工２０を移動させる際には、打設されたコンクリートの表面に残置させ、コンクリート構造物の表面側に永久的に存置させる。
【００３２】
型枠パネル１８は、図４にも示すように、端部の四周にシール材３６を介在させて隣接配置され、隣接する型枠パネル１８間が連結金具３８を介して相互に連結される。型枠パネル１８の背面側に設けられるアンカー３４は、本実施例の場合には、２種類の第１および第２アンカー４０，４２が使用されている。
【００３３】
第１アンカー４０は、その詳細を図３に示すように、アンカーロッド４０ａと、止ねじ４０ｂとを備え、型枠パネル１８の背面側の任意の位置に突設固定される。なお、本実施例の場合、第１アンカー４０は、図２に示すように、型枠パネル１８のほぼ中央の１個所に配置しているが、その数や場所は任意に設定することができる。
【００３４】
図３に示したアンカーロッド４０ａは、中空筒状に形成され、一端側に雌ねじ４０ｃが内設され、他端側には、アンカーロッド４０ａの直径よりも幅広な平板状の定着プレート４０ｄが固設されている。
【００３５】
このように構成された第１アンカー４０は、型枠パネル１８に穿設されている貫通孔１８ａに位置決めして、型枠パネル１８を挟んで、雌ねじ４０ｃに止ねじ４０ｂを螺着することにより、型枠パネル１８に固定されている。
【００３６】
第２アンカー４２は、第１アンカー４０に対して、型枠パネル１８に関する配置位置が異なるだけであって、これ以外の構成は実質的に同一であり、図６に示すように、アンカーロッド４２ａと、止ねじ４２ｂとを備えている。
【００３７】
アンカーロッド４２ａは、中空筒状に形成され、一端側に雌ねじ４２ｃが内設され、他端側には、定着プレート４２ｄが固設されていて、型枠パネル１８を挟んで、雌ねじ４２ｃに止ねじ４２ｂを螺着することにより、型枠パネル１８に固定されている。なお、図６に示した第２アンカー４２は、コンクリートに埋設された際の最終形態である。
【００３８】
このような第２アンカー４２は、型枠パネル１８の周縁に配置され、連結金具３８の仮固定用にも用いられており、本実施例の場合には、図２に示すように、正方形状の型枠パネル１８の左右方向の両端側と、中央部分の上下方向の両端周縁に配置されていて、１枚のパネル１８に対して、合計８個用いられている。
【００３９】
連結金具３８は、本実施例の場合には、型枠パネル１８の左右方向の両端に配置される長尺金具４４と、型枠パネル１８の中央部に配置される短尺金具４６とを備えている。
【００４０】
長尺金具４４は、型枠パネル１８の上下方向ほぼ同じ長さを有し、型枠パネル１８前面側に当接される固定部４４ａと、この固定部４４ａの長手方向の両端に立設された一対のフランジ部４４ｂとを備えている。
【００４１】
短尺金具４６は、型枠パネル１８前面側に当接される固定部４６ａと、この固定部４６ａの長手方向の両端に立設された一対のフランジ部４６ｂとを備えている。
【００４２】
型枠パネル１８を連結する際には、まず、図４に示すように、各金具４４，４６は、固定部４４ａ，４６ａが、型枠パネル１８を挟んで、第２アンカー４２の前面側に位置決めされ、予め型枠パネル１８に穿設されている貫通孔１８ａを介して、固定部４４ａ，４６ａの上方から仮締めボルト４８を、雌ねじ４２ｃに螺着して、固定部４４ａ，４６ａを固定する。
【００４３】
このような金具４４，４６が取付けられた型枠パネル１８を隣接配置すると、各金具４４，４６のフランジ部４４ｂ，４６ｂが対面するので、フランジ部４４ｂ，４６ｂに設けられている取り付孔４４ｃ，４６ｃ間に、図５に示すように、締め付け用ボルトナット５０を装着すると、型枠パネル１８が上下方向に結合される。
【００４４】
このようにして複数枚の型枠パネル１８が連結されると、型枠パネル１８で囲まれた内部にコンクリートＣを打設し、所定量のコンクリートＣが打設されると、最上段側の型枠パネル１８に、連結金具３８を介して別の型枠パネル１８を結合させて、順次上方に延設するとともに、支保工２０を移動装置２２で上方に移動させて、コンクリートＣの打設を繰り返す。
【００４５】
この場合、型枠パネル１８は、アンカー３４が打設コンクリートＣ中に埋設されるので、打設されたコンクリート表面に残置させられる。そして、打設コンクリートＣの養生が終了すると、図６に示すように、締め付け用ボルトナット５０と仮締めボルト４８を取外して、金具４４，４６を型枠パネル１８から脱着して、アンカーロッド４２ａに止ねじ４２ｂを螺着する。
【００４６】
止ねじ４２ｂが螺着された型枠パネル１８は、コンクリート構造物の表面側に永久的に存置される。
【００４７】
さて、以上のように構成した移動式型枠装置１６によれば、型枠パネル１８は、その背面側にコンクリート構造物中に埋設されるアンカー３４が設けられ、支保工２０を移動させる際に、打設されたコンクリートＣの表面に残置させるので、打設されたコンクリートＣの表面が型枠パネル１８で覆われ、初期硬化中に水分の逸散がなく、表面コンクリートの水和反応が十分に行われるとともに、打設コンクリートＣの乾燥を防ぎ、適度な温度状態に保って、乾燥収縮に伴うひび割れを抑制する。
【００４８】
また、型枠パネル１８は、コンクリート構造物の表面側に永久的に存置させるので、厳しい環境条件からの劣化を防ぐとともに、コンクリート構造物内への、水分，塩分，二酸化炭素などの有害物質の浸入を防ぎ、しかも、内部コンクリートにひび割れが発生した場合にも、美観を保つことができる。
【００４９】
さらに、本実施例の場合には、型枠パネル１８をコンクリートの表面に残置させるために用いる第２アンカー４２を、型枠パネル１８の連結用にも利用するので、連結資材の簡素化も図れる。
【００５０】
図７は、本発明にかかる型枠装置で用いることができるアンカー３４の他の例を示している。図７には、第１アンカー４００に適用した場合を例示しているが、この例に限ることなく、第２アンカー４２に適用することも勿論可能である。
【００５１】
同図に示した第１アンカー４００は、図３に示した第１アンカー４０と同様に、アンカーロッド４００ａと、止ねじ４００ｂとを備え、型枠パネル１８の背面側の任意の位置に突設固定される。
【００５２】
アンカーロッド４００ａは、中空筒状に形成され、一端側に雌ねじ４００ｃが内設され、この雌ねじ４００ｃには、定着プレート４０ｄに替えて延長ボルト４００ｅが螺着固定されている。
【００５３】
このような構成によれば、延長ボルト４００ｅにより、定着プレートと同等の引抜き抵抗の増加効果が期待できる。また、図７に示した例の場合には、第１アンカー４００は、構築しようとするコンクリート構造物の対向する面に、一対の型枠パネル１８を対向設置し、型枠パネル１８間に打設コンクリートＣを充填する場合に、一対の型枠パネル１８間を連結するセパレータとして用いることができる。
【００５４】
この構成の場合には、例えば、スリップフォーム型枠で、中空な塔状構造物を構築する際に、好適に使用することができる。なお、上記実施例で示したアンカー３４は、例えば、通常型枠で使用されるレジンコンクリート製やＰコン製、さらには、繊維強化合成樹脂製のものを用いることができる。
【００５５】
また、上記実施例では、本発明を高橋脚１０を構築する際の昇降移動する型枠装置に適用した場合を例示したが、本発明の実施は、これに限定されることはなく、例えば、トンネル覆工，煙突，橋脚，ダムなどの長大コンクリート構造物を構築する際の、セントル，スリップフォーム，ジャンピングフォーム，スライド型枠などの移動式型枠に適用することもできる。
【００５６】
【発明の効果】
以上、詳細に説明したように、本発明にかかる移動式型枠装置によれば、コンクリートの養生を十分に行えるようにすることで、強度や耐久性の要求性能を充足することができる。
【図面の簡単な説明】
【図１】本発明にかかる移動式型枠装置の一実施例を示す装置設置状態の側面説明図である。
【図２】図１の型枠パネルの要部詳細図である。
【図３】図２に示した型枠パネルに取付けられる第１アンカーの詳細図である。
【図４】図２に示した型枠パネルを連結する際の説明図である。
【図５】図２に示した型枠パネルの連結完了状態の説明図である。
【図６】図２に示した型枠パネルに取付けられる第２アンカーの詳細図である。
【図７】図３に示した第１アンカーの変形例の詳細図である。
【符号の説明】
１０          高橋脚
１２          鋼管
１４          鋼線
１６          移動式型枠装置
１８          型枠パネル
２０          支保工
２２          移動装置
３４          アンカー
４０          第１アンカー
４２          第２アンカー
【図１】
0003860024.tif 000002
【図２】
0003860024.tif 000003
【図３】
0003860024.tif 000004
【図４】
0003860024.tif 000005
【図５】
0003860024.tif 000006
【図６】
0003860024.tif 000007
【図７】
0003860024.tif 000008